(57)【要約】【課題】ブラウザ搭載の携帯端末において、メディアコンテンツ等を複数取得する場合にユーザがブラウザ画面の切り替えを頻繁に行う必要をなくし、ユーザにとっての利便性を高めることを目的とする。【解決手段】タブブラウザプログラム１０８は、起動中、キーデバイス１０１を構成する一部のキーに「裏取得指示機能」を割り当てる。この機能により、例えば、コンテンツサーバ１１０の有するメディアデータ１１１の「裏面取得機能」が指示されると、タブブラウザプログラム１０８は、メディアデータ１１１の取得経過状況や取得完了を通知する画面をフォーカスの当たっているタブ（表タブ）に表示させない。裏タブによって識別されるページに表示させる。【選択図】図１
2008242842.tif 000002
【特許請求の範囲】
【請求項１】
ハイパーテキスト文書を解析して表示手段に表示させるタブブラウザを備え、
前記タブブラウザは、ハイパーテキスト文書のポインタの示すリンク先のファイルを取得する際に、取得経過及び取得結果の表示のうち少なくとも１つ以上を、フォーカスの当たっているタブを除く他のタブで行う裏面取得処理を実行することを特徴とする携帯端末。
【請求項２】
ユーザの操作を携帯端末に伝えるキーデバイスを備え、
前記キーデバイスは、前記裏面取得処理の実行を指示するキー操作が割り当てられていることを特徴とする請求項１記載の携帯端末。
【請求項３】
前記タブブラウザは、ハイパーテキスト文書を解析した結果、ハイパーテキスト文書のポインタの示すリンク先のファイルが所定の形式のファイルである場合に、当該ファイルを取得する際に前記裏面取得処理を実行することを特徴とする請求項１又は２記載の携帯端末。
【請求項４】
表示手段を有する携帯端末に、
ハイパーテキスト文書を解析して前記表示手段に表示させるタブブラウザの機能を実現させ、
前記タブブラウザが、ハイパーテキスト文書のポインタの示すリンク先のファイルを取得する際に、取得経過及び取得結果の表示のうち少なくとも１つ以上を、フォーカスの当たっているタブを除く他のタブで行う裏面取得処理を実行させることを特徴とする携帯端末用プログラム。
【請求項５】
ユーザの操作を携帯端末に伝えるキーデバイスに、前記裏面取得処理の実行を指示するキー操作を割り当て、ユーザによる前記キー操作があった場合、前記携帯端末に、前記裏面取得処理を実行させることを特徴とする請求項４記載の携帯端末用プログラム。
【請求項６】
前記携帯端末を用いて、
前記タブブラウザが、ハイパーテキスト文書を解析した結果、ハイパーテキスト文書のポインタの示すリンク先のファイルが所定の形式のファイルである場合に、当該ファイルを取得する際に前記裏面取得処理を実行する機能を実現させることを特徴とする請求項４又は５記載の携帯端末用プログラム。
【発明の詳細な説明】
【技術分野】
【０００１】
本発明は、携帯端末及び携帯端末用プログラムに関し、特にタブブラウザを搭載する携帯端末に関する。
【背景技術】
【０００２】
従来の携帯端末ブラウザは、Ｗｅｂサーバから取得したコンテンツデータを新規に取得して表示するとき、ブラウザの「表面」（換言すると、カレントフォーカスウィンドウ（マルチウィンドウシステムのユーザインターフェースにおいて現在ユーザが作業を主に行うウィンドウ）等）に表示するのが主流であり、音楽ファイル等のメディアコンテンツを複数取得する場合は、ブラウザ画面の切替を行う必要があり、ユーザにとって利便性が悪いという問題がある。
【０００３】
なお、特許文献１ないし３は、タブブラウザ搭載の電子機器に関する一般的な先行従来技術である。
【特許文献１】特開２００５−０５００１９号公報
【特許文献２】特開２００３−１３１９８８号公報
【特許文献３】特開２００６−１０７０７９号公報
【発明の開示】
【発明が解決しようとする課題】
【０００４】
しかしながら、上記従来技術は、メディアコンテンツ等を複数取得する場合にブラウザ画面の切り替えを頻繁に行う必要がありユーザにとって利便性が低いという問題点を克服するものではない。
【０００５】
そこで本発明は、上記実情に鑑みて、メディアコンテンツ等を複数取得する場合にユーザがブラウザ画面の切り替えを頻繁に行う必要をなくし、ユーザにとっての利便性を高めることを目的とする。
【課題を解決するための手段】
【０００６】
上記目的を達成するための請求項１記載の発明は、ハイパーテキスト文書を解析して表示手段に表示させるタブブラウザを備え、前記タブブラウザは、ハイパーテキスト文書のポインタの示すリンク先のファイルを取得する際に、取得経過及び取得結果の表示のうち少なくとも１つ以上を、フォーカスの当たっているタブを除く他のタブで行う裏面取得処理を実行することを特徴とする携帯端末である。
【０００７】
請求項２記載の発明は、請求項１記載の携帯端末において、ユーザの操作を携帯端末に伝えるキーデバイスを備え、前記キーデバイスは、前記裏面取得処理の実行を指示するキー操作が割り当てられていることを特徴とする。
【０００８】
請求項３記載の発明は、請求項１又は２記載の携帯端末において、前記タブブラウザは、ハイパーテキスト文書を解析した結果、ハイパーテキスト文書のポインタの示すリンク先のファイルが所定の形式のファイルである場合に、当該ファイルを取得する際に前記裏面取得処理を実行することを特徴とする。
【０００９】
請求項４記載の発明は、表示手段を有する携帯端末に、ハイパーテキスト文書を解析して前記表示手段に表示させるタブブラウザの機能を実現させ、前記タブブラウザが、ハイパーテキスト文書のポインタの示すリンク先のファイルを取得する際に、取得経過及び取得結果の表示のうち少なくとも１つ以上を、フォーカスの当たっているタブを除く他のタブで行う裏面取得処理を実行させることを特徴とする携帯端末用プログラムである。
【００１０】
請求項５記載の発明は、請求項４記載の携帯端末用プログラムにおいて、ユーザの操作を携帯端末に伝えるキーデバイスに、前記裏面取得処理の実行を指示するキー操作を割り当て、ユーザによる前記キー操作があった場合、前記携帯端末に、前記裏面取得処理を実行させることを特徴とする。
【００１１】
請求項６記載の発明は、請求項４又は５記載の携帯端末用プログラムにおいて、前記携帯端末を用いて、前記タブブラウザが、ハイパーテキスト文書を解析した結果、ハイパーテキスト文書のポインタの示すリンク先のファイルが所定の形式のファイルである場合に、当該ファイルを取得する際に前記裏面取得処理を実行する機能を実現させることを特徴とする。
【発明の効果】
【００１２】
本発明によれば、メディアコンテンツ等を複数取得する場合にユーザがブラウザ画面の切り替えを頻繁に行う必要がなくなり、ユーザにとっての利便性が高まる。
【発明を実施するための最良の形態】
【００１３】
以下、本発明の実施の形態について図面を参照して説明する。
【００１４】
図１は、本発明の実施の形態の全体の構成を示すブロック図である。図１において、携帯端末１００は、キーデバイス１０１と、表示部１０２と、ＲＯＭ１０４と、ＲＡＭ１０５と、制御部１０６と、データ送受信部１０７と、を有する構成である。
【００１５】
キーデバイス１０１は、ユーザの操作を携帯端末１００に伝える入力デバイスである。詳細は、図２を参照して後述する。
【００１６】
表示部１０２は、携帯端末１００の動作結果等をユーザに伝える出力デバイスである。液晶表示装置や有機ＥＬ表示装置等の当業者に周知の技術が利用できる。また、表示部１０２は、後述するタブブラウザプログラム１０８によるタブブラウザを表示する。
【００１７】
ＲＯＭ１０４は、不揮発性の記憶デバイスであり、携帯端末１００を動作させるための基本ソフトウェア（不図示）の他、タブブラウザプログラム１０８を記憶している。タブブラウザプログラム１０８は、ユーザのキーデバイス１０１の操作等により呼び出されて起動する。起動したタブブラウザプログラム１０８は、制御部１０６の制御によりＲＡＭ１０５上に展開され、後述する所定の動作を実行する。
【００１８】
ＲＡＭ１０５は、携帯端末１００の主記憶デバイスであり、携帯端末１００を動作させるための基本ソフトウェアやタブブラウザプログラム１０８がロードされた場合に一時的にこれらプログラムを展開させておくためのデバイスである。また、制御部１０６は、ＲＡＭ１０５上に展開されたプログラムが要求する種々の演算を処理するデバイスであり、携帯端末１００全体の制御も行う。
【００１９】
携帯端末１００は、データ送受信部１０７を利用し、外部と通信可能に接続されていてもよい。この場合通信は、有線と無線の別を問わないが、無線の方が携帯端末１００のモビリティ向上の点で有利である。なお、図１に示す構成例では、携帯端末１００は、データ送受信部１０７を介してコンテンツサーバ１１０と接続している。
【００２０】
コンテンツサーバ１１０は、例えば、インターネットや、携帯電話会社各社が提供する独自の情報提供網上に存在し、接続したクライアントからの要求に応えてメディアデータ１１１やテキストデータ１１２を送信する。
【００２１】
なお、メディアデータ１１１は、例えば、音楽ファイルや動画ファイルを指す。メディアデータ１１１は、一般に送信ファイルサイズが大きくなる傾向にあり、ダウンロードに時間がかかる。また、テキストデータ１１２は、例えば、ＨＴＭＬやＨＤＭＬ等のハイパーテキスト文書を指す。一般に、ハイパーテキスト文書内に展開して表示するようブラウザによって解釈されることの多い静止画像データを含めてもよい。
【００２２】
起動したタブブラウザプログラム１０８は、データ送受信部１０７を利用してコンテンツサーバ１１０から各種データをダウンロードする。特に、テキストデータ１１２をダウンロードした場合は、制御部１０６にハイパーテキストを解釈（パース）させて解釈結果を表示部１０２に表示させる。
【００２３】
図２は、図１に示すタブブラウザプログラム１０８が稼働中の携帯端末１００における表示部１０２の表示画面の構成例を示す図である。図２において、表示部１０２は、ブラウザ表示画面２００を表示する。ブラウザ表示画面２００は、コンテンツデータ表示エリア２０１と、タブ表示エリア２０２と、に表示領域を分けている。
【００２４】
コンテンツデータ表示エリア２０１は、タブブラウザ１０８が制御部１０６に取得したテキストデータ１１２のハイパーテキストを解釈させた解釈結果が表示される表示領域である。なお、タブブラウザプログラム１０８からユーザに対して発せられるメッセージを表示するよう構成してもよい。このメッセージは、例えば、「メディアファイルのダウンロードが完了しました」等のメッセージが考えられる。
【００２５】
タブ表示エリア２０２は、コンテンツデータ表示エリア２０１に表示するハイパーテキスト文書を「ページ」に見立てた際、一枚一枚のページを識別するためのタブが表示される表示領域である。表示領域の節約を目的としてコンテンツデータ表示エリア２０１上に複数のページを重畳させているように表現した場合、それぞれのタブは重畳しないよう表示して、複数のページが下に存在することをユーザに視認させる。
【００２６】
また、現在コンテンツデータ表示エリア２０１の最上面に表示されているページを識別するためのタブを「表タブ」といい、図２では例えば下線を引いて表現している（表タブ２０３）。そして、「表タブ」に隠れて裏に別のページが存在していることを示すタブを「裏タブ」という（裏タブ２０４）。
【００２７】
次に、本実施形態のキーデバイス１０１の詳細な構成について説明する。図３は、図１に示すキーデバイス１０１の構成例を示す外観図である。図３において、キーデバイス１０１は、テンキーやページ送りキーの他、決定キー１０１ａと裏キー１０１ｂとを有する。
【００２８】
タブブラウザプログラム１０８は、起動中、決定キー１０１ａと裏キー１０１ｂにそれぞれ表取得指示機能と裏取得指示機能とを割り当てる。表取得指示機能とは、後述する表面取得機能をタブブラウザプログラム１０８に指示する機能であり、裏取得指示機能とは、後述する裏面取得機能をタブブラウザプログラム１０８に指示する機能である。
【００２９】
次に、表面取得機能と裏面取得機能について図４を参照して説明する。図４は、本実施形態の動作例を、表示部１０２の表示するブラウザ表示画面２００の状態遷移によって示す、状態遷移図である。
【００３０】
図４において、携帯端末１００は、タブブラウザプログラム１０８が起動中であり、表示部１０２は、コンテンツデータ表示エリア２０１に表タブ２０３によって識別されるハイパーテキスト文書Ａを表示している（状態１）。ハイパーテキスト文書Ａは、図１に示すコンテンツサーバ１１０が提供するものであり、文書内にメディアデータ１１１へのリンクやテキストデータ１１２へのリンクを示す、複数のポインタを有する。
【００３１】
ここで、ユーザが図３に示す裏キー１０１ｂを押下して、いずれかのポインタが示すリンク先のファイル（例えば、メディアデータ１１１とする）の裏での取得を指示すると、ブラウザ表示画面２００は、状態２に遷移する（裏面取得機能）。状態２において、コンテンツデータ表示エリア２０１は、相変わらずハイパーテキスト文書Ａを表示しているが、裏タブ２０４が生成される。裏タブ２０４は、ユーザによる指示等によりフォーカスがあてあれた場合、メディアデータ１１１の取得経過を示すプログレス画面や取得結果を示す完了画面を表示する。
【００３２】
また、状態１において、ユーザが図３に示す決定キー１０１ａを押下して、いずれかのポインタが示すリンク先のファイル（例えば、テキストデータ１１２とする）の表での取得を指示すると、ブラウザ表示画面２００は、状態３に遷移する（表面取得機能）。状態３において、ハイパーテキスト文書Ａを識別するタブは、裏タブ２０４である。また、コンテンツデータ表示エリア２０１は、タブブラウザプログラム１０８がテキストデータ１１２を制御部１０６に解釈させた解釈結果であるハイパーテキスト文書Ｂが表示されている。したがって、表取得機能は、カレントフォーカスが、ハイパーテキスト文書Ａからハイパーテキスト文書Ｂに移る。
【００３３】
次に、本実施形態の効果の説明をする。本実施形態の第１の効果は、音楽ファイル等のメディアコンテンツを複数取得する場合、ブラウザ画面の切替を行う必要がなくコンテンツの取得が可能となる点である。なぜなら、その理由は、携帯端末１００のキーデバイス１０１に、「表面で取得」と「裏面で取得」を指示する機能を割り当てたためである。
【００３４】
次に、本実施形態の変形例を説明する。本変形例は、まず、タブブラウザプログラム１０８が、ハイパーテキスト文書を解析する。その結果、このハイパーテキスト文書のポインタの示すリンク先のファイルが所定の形式のファイルであることが解析された場合、当該ファイルを取得する際に裏面取得機能を実行して、ファイルを取得する。所定の形式とは、メディアデータに該当する形式（例えば、音楽ファイル等）が好適であるが、一部のハイパーテキスト文書（例えば、ＰＤＦ（登録商標））であってもよい。本実施形態は、キーデバイス１０１への裏面取得機能及び表面取得機能を指示する機能を割り当てた。しかし、本変形例では、このようなユーザ操作を伴わずに裏面取得機能を実現する。
【００３５】
なお、本発明は、本実施形態に限定されず、本発明の要旨の範囲内で種々の変形ができる。本発明は、本実施形態のように携帯端末での実施も好適であるが、ブラウザを搭載する種々の電子機器の、データ取得方法選択の用途にも適用可能である。
【図面の簡単な説明】
【００３６】
【図１】本発明による実施の形態の構成例を示すブロック図である。
【図２】図１に示すタブブラウザプログラム１０８が稼働中の携帯端末１００における表示部１０２の表示画面の構成例を示す図である。
【図３】図１に示すキーデバイス１０１の構成例を示す外観図である。
【図４】本発明による実施の形態の動作例を示す状態遷移図である。
【符号の説明】
【００３７】
１００    携帯端末
１０１    キーデバイス
１０１ａ    決定キー
１０１ｂ    裏キー
１０２    表示部
１０４    ＲＯＭ
１０５    ＲＡＭ
１０６    制御部
１０７    データ送受信部
１０８    タブブラウザプログラム
１１０    コンテンツサーバ
１１１    メディアデータ
１１２    テキストデータ
２００    ブラウザ表示画面
２０１    コンテンツデータ表示エリア
２０２    タブ表示エリア
２０３    表タブ
２０４    裏タブ
【図１】
2008242842.tif 000003
【図２】
2008242842.tif 000004
【図３】
2008242842.tif 000005
【図４】
2008242842.tif 000006